(57)【要約】【課題】内径の等しい管体間の継ぎ構造において、継合部の内外径にばらつきがあっても適度な継合力を保ち、また長期にわたる使用においても継合力を低下させることなく、着脱が容易に行えるFRPなどの管体の継ぎ構造を構成する。【解決手段】管体間の継合部に弾性体を設けることによって継合部の径のばらつきを吸収し、安定した継合力を保持する。この継ぎ構造を吹矢などに応用することにより、安定した継合力を長期間にわたって保持できるため、継合部の磨耗などによる補修が不要になる。また、コンパクトで持ち運び性に優れ、しかも軽量な吹矢を提供できる。【選択図】図１
2017089761.tif 000002
【特許請求の範囲】
【請求項１】
内径が等しい管体(オス側)と管体(メス側)の着脱自在の継ぎ構造において、内面に段差のない継ぎ構造であって、継合部の接触面が弾性体である管体の継ぎ構造。
【請求項２】
継ぎ部の材質がFRPなどの管体であって、管体(メス側)の継合部の軸方向に１つ以上のスリットを入れて径方向の弾性を付与した請求項1記載の管体の継ぎ構造。
【請求項３】
内外面に段差のない請求項1及び請求項２記載の管体の継ぎ構造。
【請求項４】
前期請求項1〜３のいずれかの一項に記載の管体の継ぎ構造を備えたことを特徴とする吹矢。
【請求項５】
管体(オス側)とスリットを入れた管体(メス側)を継いだ時に、管体(オス側)にスリット端面の外周を覆うキャップを設けた請求項２の管体の継ぎ構造を備えたことを特徴とする吹矢。
【発明の詳細な説明】
【技術分野】
【０００１】
本発明は、内径の等しいFRPなどの管体間の継ぎ目の内面を凹凸なく着脱するための継ぎ構造に関するものである。吹矢など継ぎ目の内面に段差のない管体に適用される。
【背景技術】
【０００２】
FRPなどの管体と管体の内面を凹凸なく着脱する方法には、内筒と外筒を組み合わせて内筒のみの部分をオス部とし、外筒のみの部分をメス部とし、オス部とメス部を継合し着脱する方法がある。
【０００３】
しかし内筒を外筒にスムーズに挿入接着できるように内筒の外径であるオス部を加工するとばらつきが生じ、しかもメス部につなげた時に緩くなるため、肉盛りや研磨を繰り返して嵌合具合の修正が必要になり、生産性が悪くなる欠点があった。
【０００４】
さらに時間が経つと肉盛り部が収縮して継合力が緩くなる、また長期にわたり着脱を繰り返すと接合部が摩耗し継合力が緩くなるなどの欠点があった。
【先行技術文献】
【特許文献】
【０００５】
【特許文献１】特開平０５−００００３７
【発明の概要】
【発明が解決しようとする課題】
【０００６】
解決しようとする課題は、FRPなど管体挿入部の径のばらつきがあると、緩かったり固かったりして安定した継合力が得られない、また着脱を繰り返しているうちに継合部の径が摩耗し安定した継合力が得られなくなるという点である。
【課題を解決するための手段】
【０００７】
FRPなどの管体挿入部の内外径のばらつきにかかわらず、安定した継合力を提供することを可能にし、また着脱を繰り返しているうちに継合部の径が摩耗しても、安定した継合力を保持した継ぎ構造を提供することを目的とする。継合部メス側もしくはオス側に弾性体を設けることによって上記問題を解決する。
【発明の効果】
【０００８】
本発明の継ぎ構造は、内外径のばらつきを継合部間の弾性体によって吸収できるため、安定した継合力が得られ着脱が容易となる。また、長期にわたり着脱を繰り返しても弾性体により安定した継合力が得られる。
【図面の簡単な説明】
【０００９】
【図１】図１は継ぎ構造の継合してない状態を示した断面図である。（実施例１）
【図２】図２は継ぎ構造の継合した状態を示した断面図である。（実施例1）
【図３】図３は継ぎ構造の実施方法を示した外観図である。（実施例２）
【図４】図４は継ぎ構造の実施方法を示した部分断面図である。（実施例３）
【図５】図５は継ぎ構造を吹き矢で実施した外観図である。（実施例４）
【図６】図６は継ぎ構造の実施方法を示した部分断面図である。（実施例５）
【発明を実施するための形態】
【００１０】
内径の等しい管体間の継合部に弾性体を用いることにより、継合部の内外径のばらつきを吸収し、安定した継合力を実現した。
【実施例１】
【００１１】
図１は本発明の管体（メス側）１と管体（オス側）２を継合する前の断面図である。管体（メス側）１は管体１Aとジョイント２Aと弾性体３Aで構成される。弾性体３Aの内径は管体（オス側）２の外径よりわずかに小さい。図２は継合した状態の断面図である。管体（メス側）１と管体（オス側）２を継合すると、管体２の継合部の外径のばらつきにかかわらず、ジョイント内面のシリコンゴムなどの弾性体３Aが変形することにより、適切な保持力を持って着脱自在に継合される。
【実施例２】
【００１２】
図３は本発明のＦＲＰ管体間の継合した状態の外観図である。管体（メス側）１と管体（オス側）２を継合するためのジョイント３Aの軸方向に１ｍｍ幅前後のスリット４Aを入れてある。したがって管体（オス側）２の継合部外径がジョイント３Aの内径より若干大きくても、スリット４Aによりジョイント３Aの内径が管体（オス側）２の外径に合わせて拡がるため、適切な保持力を持って着脱自在に継合される。
【実施例３】
【００１３】
図４は本発明のFRP管体間の継合した状態の部分断面図である。内外径が等しいＦＲＰ管体（メス側）１及びＦＲＰ管体（オス側）２において、継合部の内外面が平滑になるように、ＦＲＰ管体（メス側）１の内径を一部加工しメス部３Cとし、メス部３Cの継合部の軸方向にスリット４Aを設けた。またＦＲＰ管体（オス側）２の外径をメス部３Cと継合できるように外径の一部を加工し継合部とした。オス部３Bを継合する際に、スリット４Aの弾性効果によりメス部３Cの内径がオス部外径に応じて変形し、オス部３B部の外径が多少ばらついても安定した保持力で継合され、かつ簡単に着脱が可能となった。
【実施例４】
【００１４】
図５は本発明の継ぎ構造を吹き矢に応用したものである。吹矢は筒A５、筒B６、筒C７、筒D８、及びマウスピース９で構成され、各筒を実施例１、実施例２、実施例３いずれかのジョイント構造で継ぐことにより、内面が均一な吹矢として機能する。４本継ぎとする事で仕舞寸法がコンパクトになり持ち運び性が向上する。また筒A５、筒B６、筒C７は同一サイズとして共用可能であり、筒の継ぎ数を変えることによって吹矢の長さを変えられる。その上従来品にある外筒がなく、ジョイントが継合部にあるだけなので、その分軽量化が図れる。
【実施例５】
【００１５】
図６は実施例２もしくは実施例３において、管体（オス側）２にキャップ４Bを付加したものである。継合した時にスリット４Aの端面の外周をキャップ４Bで覆う事によって、想定以上の負荷がかかった場合にスリット４Aが開きすぎるのを防止して適度な継合力を保持し、かつスリットの端面で手を傷つけたりする危険性を防止する働きもする。
【産業上の利用可能性】
【００１６】
吹き矢は持ち運び性を容易にするために、複数の筒に分割して運び、使用するときに継ぐものがあるが、何度も着脱を繰り返していると、継合具合が緩くなる欠点があった。本発明は、継ぎ部に弾性体を用いることにより、適切な継合具合をより長く維持できるようになった。しかも継合部の適切な嵌め合い寸法範囲が拡がるため、より容易に製造しやすくなる。
【符号の説明】
【００１７】
１      管体(メス側)  
２      管体(オス側)
２A    ジョイント
３A    弾性体
４A    スリット
４B    キャップ
３B    オス部
３C    メス部
５      筒A
６      筒B
７      筒C
８      筒D
９      マウスピース     
【図１】
2017089761.tif 000003
【図２】
2017089761.tif 000004
【図３】
2017089761.tif 000005
【図４】
2017089761.tif 000006
【図５】
2017089761.tif 000007
【図６】
2017089761.tif 000008